(57)【特許請求の範囲】
【請求項１】
炭化させた竹幹を節目と平行に輪切りにし、さらに竹幹の成長方向に沿って切断して円弧片状にした複数の竹炭片それぞれを、いずれも当該竹炭片の裏表を形成する凹凸円弧面が水平方向に向くように立たせた状態にして下端側から竹幹の成長方向に沿って燃焼させることを特徴とした竹炭片の配置方法。
【請求項２】
複数の竹炭片それぞれは、これらの凹凸円弧面が互いに同一方向に向くように順次束ねて、複数列となって起立配置してある請求項１記載の竹炭片の配置方法。
【請求項３】
複数列の隣り合う竹炭片は、互いに凹凸円弧面が逆方向に向くように配置してある請求項２記載の竹炭片の配置方法。
【請求項４】
複数の竹炭片それぞれは、これらの凹凸円弧面が互いに逆方向に向くように順次束ねて、複数列となって起立配置してある請求項１記載の竹炭片の配置方法。
【請求項５】
複数の竹炭片それぞれは、これらの凹凸円弧面夫々が乱雑な方向に向くように起立配置してある請求項１記載の竹炭片の配置方法。
【請求項６】
複数の竹炭片の下側には、凹凸円弧面が上下方向に向くように寝かせた状態にして同一の複数の竹炭片を敷設配置してある請求項１乃至５のいずれか記載の竹炭片の配置方法。
【請求項７】
炭化させた竹幹を節目と平行に輪切りにし、さらに竹幹の成長方向に沿って切断して円弧片状にした複数の竹炭片それぞれを、いずれも当該竹炭片の裏表を形成する凹凸円弧面が水平方向に向くように立たせた状態にして下端側から竹幹の成長方向に沿って燃焼させるよう、当該複数の竹炭片それぞれを凹凸円弧面が水平方向に向くように立たせた状態にして、箱形の容器内に収納配置したことを特徴とする竹炭片燃料具。
【請求項８】
複数の竹炭片それぞれは、これらの凹凸円弧面が同一方向に向くように順次束ねて、複数列となって容器内に収納配置した請求項７記載の竹炭片燃料具。
【請求項９】
複数列の隣り合う竹炭片は、互いに凹凸円弧面が逆方向に向くように網容器内に収納配置した請求項７記載の竹炭片燃料具。
【請求項１０】
複数の竹炭片それぞれは、これらの凹凸円弧面が互いに逆方向に向くように順次束ねて、複数列となって容器内に収納配置した請求項７記載の竹炭片燃料具。
【請求項１１】
複数の竹炭片それぞれは、これらの凹凸円弧面夫々が乱雑な方向を向くように容器内に収納配置した請求項７記載の竹炭片燃料具。
【請求項１２】
容器内に収納配置した複数の竹炭片の下側には、凹凸円弧面が上下方向に向くように寝かせた状態にして、同一の複数の竹炭片を配置した請求項７乃至１１のいずれか記載の竹炭片燃料具。
【請求項１３】
容器が燃焼可能である請求項７乃至１１のいずれか記載の竹炭片燃料具。
【請求項１４】
容器が燃焼不可能である請求項７乃至１１のいずれか記載の竹炭片燃料具。
【請求項１５】
複数の竹炭片を、網容器内に収納配置した請求項７乃至１１のいずれか記載の竹炭片燃料具。
【請求項１６】
容器の下面に、補強支持部を設けた請求項７乃至１４のいずれか記載の竹炭片燃料具。
【発明の詳細な説明】
【０００１】
【発明の属する技術分野】
本発明は、炭化させた竹幹を節目と平行に輪切りにし、さらに竹幹方向に沿って切断して円弧片状に成形した竹炭片の配置方法と竹炭片燃料具に関するものである。
【０００２】
【従来の技術】
従来は、炭化させた竹幹を節目と平行に輪切りにし、さらに竹幹方向に沿って切断して円弧片状に成形した竹炭片を、当該竹炭片の配置に関係なく適当な位置から着火して燃焼させていた。
【０００３】
【発明が解決しようとする課題】
しかしながら、従来のやり方では、着火による竹炭片の熱の伝わりが悪くて燃焼効率が劣り、十分な火力が得られないという弊害が生じていた。
【０００４】
そこで本発明は、叙上のような従来存した問題点に鑑み創出されたもので、竹炭片の熱の伝わりを良好にして燃焼効率を向上させ、十分な火力を得ることができる竹炭片の配置方法と竹炭片燃料具を提供することを目的としたものである。
【０００５】
【課題を解決するための手段】
このため、本発明に係る竹炭片の配置方法にあっては、炭化させた竹幹を節目と平行に輪切りにし、さらに竹幹の成長方向に沿って切断して円弧片状にした複数の竹炭片それぞれを、いずれも当該竹炭片の裏表を形成する凹凸円弧面が水平方向に向くように立たせた状態にして下端側から竹幹の成長方向に沿って燃焼させることで、上述した課題を解決した。
【０００６】
また、複数の竹炭片それぞれは、これらの凹凸円弧面が互いに同一方向に向くように順次束ねて、複数列となって起立配置してあることで、同じく上述した課題を解決した。
【０００７】
さらに、複数列の隣り合う竹炭片は、互いに凹凸円弧面が逆方向に向くように配置してあることで、同じく上述した課題を解決した。
【０００８】
また、複数の竹炭片それぞれは、これらの凹凸円弧面が互いに逆方向に向くように順次束ねて、複数列となって起立配置してあることで、同じく上述した課題を解決した。
【０００９】
加えて、複数の竹炭片それぞれは、これらの凹凸円弧面夫々が乱雑な方向に向くように起立配置してあることで、同じく上述した課題を解決した。
【００１０】
また、複数の竹炭片の下側には、凹凸円弧面が上下方向に向くように寝かせた状態にして同一の複数の竹炭片を敷設配置してあることで、同じく上述した課題を解決した。
【００１１】
一方、本発明に係る竹炭片燃料具にあっては、炭化させた竹幹を節目と平行に輪切りにし、さらに竹幹の成長方向に沿って切断して円弧片状にした複数の竹炭片それぞれを、いずれも当該竹炭片の裏表を形成する凹凸円弧面が水平方向に向くように立たせた状態にして下端側から竹幹の成長方向に沿って燃焼させるよう、当該複数の竹炭片それぞれを凹凸円弧面が水平方向に向くように立たせた状態にして、箱形の容器内に収納配置したことで、同じく上述した課題を解決した。
【００１２】
また、複数の竹炭片それぞれは、これらの凹凸円弧面が同一方向に向くように順次束ねて、複数列となって容器内に収納配置したことで、同じく上述した課題を解決した。
【００１３】
さらに、複数列の隣り合う竹炭片は、互いに凹凸円弧面が逆方向に向くように網容器内に収納配置したことで、同じく上述した課題を解決した。
【００１４】
また、複数の竹炭片それぞれは、これらの凹凸円弧面が互いに逆方向に向くように順次束ねて、複数列となって容器内に収納配置したことで、同じく上述した課題を解決した。
【００１５】
加えて、複数の竹炭片それぞれは、これらの凹凸円弧面夫々が乱雑な方向を向くように容器内に収納配置したことで、同じく上述した課題を解決した。
【００１６】
また、容器内に収納配置した複数の竹炭片の下側には、凹凸円弧面が上下方向に向くように寝かせた状態にして、同一の複数の竹炭片を配置したことで、同じく上述した課題を解決した。
【００１７】
この他、容器が燃焼可能であることで、同じく上述した課題を解決した。
【００１８】
また、容器が燃焼不可能であることで、同じく上述した課題を解決した。
【００１９】
さらに、複数の竹炭片を、網容器内に収納配置したことで、同じく上述した課題を解決した。
【００２０】
また、容器の下面に、補強支持部を設けたことで、同じく上述した課題を解決した。
【００２１】
本発明に係る竹炭片の配置方法と竹炭片燃料具においては、凹凸円弧面が水平方向に向くように立たせた状態にして箱形の容器内に収納配置した複数の竹炭片が、下端側からの着火により竹幹の成長方向に沿って燃焼させられ、燃焼効率を向上させた十分な火力を生じさせる。
【００２２】
【発明の実施の形態】
以下、図面を参照して本発明の一実施の形態を説明する。本発明に用いる竹炭片Ｐは、根曲竹、真竹、孟宋竹、淡竹等の竹材を高温で焼き上げ、十分なねらし（精煉）をかけて生成した竹炭を、これの竹幹を節目と平行に輪切りにし、さらに竹幹方向に沿って切断して長さ約１ｃｍ〜６ｃｍ程度の円弧片チップ状に形成している。そして、この竹炭片Ｐを、図１に示すように、自身の凹凸円弧面が水平方向に向くように立たせた状態で、且つ凹凸円弧面が同一方向に向くように順次束ねて、複数列に並ぶようにして隙間なく箱形の網容器Ｑ内に収納配置している。この網容器Ｑは、例えば金網身部１と、金網蓋部２とにより形成されており、金網身部１に金網蓋部２を被せてから相互間を金属製の複数の留輪３により緊締固定させている。また、図２に示すように、複数の竹炭片Ｐの下側には、必要に応じて凹凸円弧面が上下方向に向くように寝かせた状態にして同じ複数の竹炭片Ｐを配置している。尚、網容器Ｑは、厚紙や竹ひご等を用いて燃焼可能にすると、着火が容易で、より強力な火力を得ることができる。
【００２３】
さらに、図３に示すように、網容器Ｑ内に収納配置させている複数列の竹炭片Ｐは、隣り合う列相互の凹凸円弧面が互いに逆方向に向くように配置してあり、上方から見れば、複数の竹炭片Ｐの上端側がそれぞれ複数条に重なった波形となって網容器Ｑ内に隙間なく詰め込まれる状態となっている。
【００２４】
また、竹炭片Ｐの他の配置形態として、図４に示すように、複数の竹炭片Ｐの凹凸円弧面が互いに逆方向に向くように対向させたものを一対にして、これを順次網容器Ｑ内に詰め込み複数列となって配列しても良い。このとき、対向する一対の竹炭片Ｐの間には、上方から見て略楕円型の間隙が形成されている。
【００２５】
加えて、竹炭片Ｐの他の配置形態として、図５に示すように、複数の竹炭片Ｐの凹凸円弧面夫々が、乱雑な方向に向くように配置しても良い。
【００２６】
竹炭片Ｐを収納配置している網容器Ｑは、金網身部１の互いに対向する両端壁面部を下側に延設させて鍔状の補強支持部４を形成している。この補強支持部４は、網容器Ｑ自体を設置する際の支持脚として利用したり、網容器Ｑの上に焼かれる食物を載せるための金網等を、浮かせた状態で載せる支持部として利用するものである。また、補強支持部４を下方にして網容器Ｑを設置し、補強支持部４により生じた空間に着火剤を置けば、確実に火を起こすことができる。
【００２７】
次に、本実施の形態の使用の一例を説明する。例えば、図１に示すように、炭化させた竹幹を節目と平行に輪切りにし、さらに竹幹方向に沿って切断して円弧片状にし、凹凸円弧面が水平方向に向くように立たせた状態にしてある複数の竹炭片Ｐの下端側に着火すると、この下端側から竹幹の成長方向に沿って竹炭片Ｐが順次燃焼することとなり、十分な火力を生じさせるのである。そのため、海山等のキャンプ場や、各家庭での外庭等において、バーベキューを楽しむのに最適なものとなる。
【００２８】
尚、本発明は上記した実施の形態に限定されるものではなく、本発明の目的を達成できる範囲での改良、変形等は本発明に全て包含されるものである。
【００２９】
【発明の効果】
本発明は以上のように構成されており、請求項１乃至６に記載された竹炭片Ｐの配置方法により、竹炭片Ｐの熱の伝わりを良好にして燃焼効率を向上させ、十分な火力を得ることができる。
【００３０】
また、請求項７乃至１２記載の竹炭片燃料具においても、竹炭片Ｐの熱の伝わりを良好にして燃焼効率を向上させ、十分な火力を得ることができる。
【００３１】
さらに、請求項１３のように、容器が燃焼可能であれば、竹炭片Ｐへの着火が容易で、より強力な火力を得ることができる。
【００３２】
一方、請求項１４のように、容器が燃焼不可能であれば、使用後の清掃等が容易である。
【００３３】
また、請求項１５のように、複数の竹炭片Ｐを網容器Ｑ内に収納配置したときは、竹炭片燃料具の保管や運搬が容易となる。
【００３４】
加えて、請求項１６のように、容器の下面に、補強支持部４を設けたときには、この補強支持部４により生じた空間に着火剤を置くことで、誰もが簡単に火を起こすことができる。
【図面の簡単な説明】
【図１】竹炭片の凹凸円弧面が、同一方向を向いて起立配置している状態の斜視図である。
【図２】起立配置している竹炭片の下側に、寝かせた竹炭片を敷設した状態の斜視図である。
【図３】複数列の隣り合う竹炭片は、その凹凸円弧面が、互いに逆方向を向くように起立配置した状態の斜視図である。
【図４】複数の竹炭片の凹凸円弧面が、互いに逆方向を向くように起立配置した状態の斜視図である。
【図５】複数の竹炭片の凹凸円弧面が、乱雑な方向を向くように起立配置した状態の斜視図である。
【符号の説明】
Ｐ…竹炭片                          Ｑ…網容器
１…金網身部                        ２…金網蓋部
３…留輪                            ４…補強支持部
【図１】
0004367809.tif 000002
【図２】
0004367809.tif 000003
【図３】
0004367809.tif 000004
【図４】
0004367809.tif 000005
【図５】
0004367809.tif 000006